【手続補正書】
【提出日】平成26年1月21日(2014.1.21)
【手続補正１】
【補正対象書類名】特許請求の範囲
【補正対象項目名】全文
【補正方法】変更
【補正の内容】
【特許請求の範囲】
【請求項１】
少なくとも第１および第２の通信インタフェースを含むクライアント装置においてレンダリングされるコンテンツを提供する方法であり、前記少なくとも第１および第２の通信インタフェースが通信アドレスを有し、前記コンテンツが、通信アドレスを有する少なくとも第１および第２のサーバ通信インタフェースを介して前記クライアント装置からアクセス可能であり、第１の経路が、前記第１の通信インタフェースの通信アドレスおよび前記第１のサーバ通信インタフェースのアドレスによって識別され、少なくとも第２の経路が、前記第２の通信インタフェースの通信アドレスおよび前記少なくとも第２のサーバ通信インタフェースのアドレスによって識別され、前記コンテンツが、対応ビット・レートの制約に対応する符号化品質を有する少なくとも２つのバージョンで利用可能であり、前記少なくとも２つのバージョンのそれぞれが、前記コンテンツの同一のレンダリング持続時間に対応する複数のチャンクに時間的に分割され、チャンクが、時間指標ｉおよび前記対応ビット・レートのうちの１つによって識別され、前記コンテンツが、前記第１および少なくとも第２の経路を介して前記クライアント装置から同時にアクセス可能である方法であって、前記クライアント装置において、
前記第１の経路上の第１の利用可能なビット・レートおよび前記少なくとも第２の経路上の少なくとも第２の利用可能なビット・レートを決定するステップと、
前記決定した第１の利用可能なビット・レートおよび前記決定した少なくとも第２の利用可能なビット・レートに基づいて、前記対応ビット・レートの中の要求ビット・レートを決定するステップと、
前記時間指標ｉおよび前記決定した要求ビット・レートによって識別されるチャンクの第１の部分を受信するための第１の要求を前記第１の経路を介して送信し、前記識別されたチャンクの少なくとも第２の部分を受信するための少なくとも第２の要求を前記少なくとも第２の経路を介して送信するステップであって、前記チャンクの前記部分が相補的であり、前記チャンクの前記部分のそれぞれが、前記決定した利用可能なビット・レートから計算されるサイズを有する、前記ステップと、
前記第１の経路を介して前記要求した第１の部分を受信し、前記少なくとも第２の経路を介して前記要求した少なくとも第２の部分を受信するステップと、を含む、前記方法。
【請求項２】
前記コンテンツが、２つの経路を介して前記クライアント装置から同時にアクセス可能であり、前記要求した第１の部分が第１のサイズを有し、前記要求した第２の部分が第２のサイズを有し、前記第１のサイズと前記第２のサイズの比が、前記決定した第１の利用可能なビット・レートと前記決定した第２の利用可能なビット・レートの比に等しい、請求項１に記載の方法。
【請求項３】
前記要求ビット・レートを決定する前記ステップが、前記決定した第１の利用可能なビット・レートと前記決定した少なくとも第２の利用可能なビット・レートの和を評価するステップを含み、前記要求ビット・レートが、前記和から決定される、請求項１または２に記載の方法。
【請求項４】
前記要求ビット・レートを決定する前記ステップが、前記決定した第１の利用可能なビット・レートと前記決定した少なくとも第２の利用可能なビット・レートの前記和からプロビジョンを引いた値以下となる、対応ビット・レートの中の最大ビット・レートを選択することにある、請求項３に記載の方法。
【請求項５】
目標要求ビット・レートの第２のしきい値が決定され、前記要求ビット・レートを決定する前記ステップが、前記第２のしきい値からプロビジョンを引いた値以下となる、対応ビット・レートの中の最大ビット・レートを選択することにある、請求項１から４に記載の方法。
【請求項６】
前記第１のサイズが、前記時間指標ｉおよび前記決定した要求ビット・レートによって識別されるチャンクのサイズ、ならびに前記決定した第１の利用可能なビット・レートと前記和の比に比例する、請求項４に記載の方法。
【請求項７】
前記４つのステップが、前記クライアント装置がチャンクを完全に受信するたびに実行される、請求項１から６に記載の方法。
【請求項８】
前記経路上で決定された前記第１および少なくとも第２の利用可能なビット・レートが第１のしきい値より大きいかどうかを判定する、前記ステップの前に実行されるステップをさらに含み、前記４つのステップが、前記クライアント装置が前記決定した利用可能なビット・レートが前記第１のしきい値より大きいと判定した経路についてのみ実行される、請求項１から７に記載の方法。
【請求項９】
前記ステップが、前記クライアント装置から前記第１および少なくとも第２の経路を介して送信された要求、ならびに前記要求に応答して前記少なくとも第１および第２の経路を介して送信される確認メッセージの往復時間を計算することにある、請求項１から７に記載の方法。
【請求項１０】
前記クライアント装置ＣＤが前記経路のうちの少なくとも１つを介して前記対応ビット・レートのリストを受信するステップと、対応ビット・レート毎に前記チャンクのサイズを受信するステップとをさらに含む、請求項１から９に記載の方法。
【請求項１１】
前記クライアント装置が、通信アドレスを有する第３の通信インタフェースをさらに含み、前記コンテンツが、通信アドレスを有する第３のサーバ通信インタフェースを介して前記クライアント装置からアクセス可能であり、第３の経路が、前記第３の通信インタフェースの前記通信アドレスおよび前記第３のサーバ通信インタフェースの前記アドレスによって識別され、前記要求ビット・レートが、前記第１、第２および第３の経路上でそれぞれ決定された前記第１、前記第２および第３の利用可能なビット・レートから決定され、前記クライアント装置が、前記第１の経路を介して、前記時間指標ｉおよび前記要求ビット・レートによって識別される前記チャンクの第１の部分を要求し、前記第２の経路を介して前記チャンクの第２の部分を要求し、前記第３の経路を介して前記チャンクの第３の部分を要求しており、前記コンテンツが、前記第１、第２および第３の経路を介して前記クライアント装置から同時にアクセス可能であり、前記方法が、前記クライアント装置において、
前記クライアント装置が前記要求した第１の部分および第２の部分を完全に受信し、前記第３の部分の第１のフラグメントを受信中であり、前記第３の部分の第２のフラグメントは前記第１のフラグメントと相補的であり、前記経路での前記利用可能なビット・レートが第３のしきい値未満であると判定したときに、前記第２のフラグメントの第１の相補的な部分を受信するための要求を前記経路を介して送信し、前記第２のフラグメントの第２の相補的な部分を受信するための要求を前記経路を介して送信するステップであって、前記第１の相補的な部分と前記第２の相補的な部分とが重複せず、前記第１の相補的な部分と前記第２の相補的な部分を結合することによって前記第２のフラグメントの全体が得られる、前記ステップをさらに含む、請求項１から７の何れか１項に記載の方法。
【請求項１２】
少なくとも第１および第２の通信インタフェースを含む、レンダリングするコンテンツを受信するクライアント装置であり、前記少なくとも第１および第２の通信インタフェースが通信アドレスを有し、前記コンテンツが、通信アドレスを有する少なくとも第１および第２のサーバ通信インタフェースを介して前記クライアント装置からアクセス可能であり、第１の経路が、前記第１の通信インタフェースの通信アドレスおよび前記第１のサーバ通信インタフェースのアドレスによって識別され、少なくとも第２の経路が、前記第２の通信インタフェースの通信アドレスおよび前記第２のサーバ通信インタフェースのアドレスによって識別され、前記コンテンツが、対応ビット・レートの制約に対応する符号化品質を有する少なくとも２つのバージョンで利用可能であり、前記少なくとも２つのバージョンのそれぞれが、前記コンテンツの同一の持続時間に対応する複数のチャンクに時間的に分割され、チャンクが、時間指標ｉおよび前記対応ビット・レートによって識別され、前記コンテンツが、前記少なくとも第１および第２の経路を介して前記クライアント装置から同時にアクセス可能であるクライアント装置であって、
前記第１の経路上の第１の利用可能なビット・レートおよび前記少なくとも第２の経路上の少なくとも第２の利用可能なビット・レートを決定する手段と、
前記決定した第１の利用可能なビット・レートおよび前記決定した少なくとも第２の利用可能なビット・レートに基づいて、前記対応ビット・レートの中の要求ビット・レートを決定する手段と、
前記時間指標ｉおよび前記決定した要求ビット・レートによって識別されるチャンクの第１の部分を受信するための第１の要求を前記第１の経路を介して送信し、前記チャンクの第２の部分を受信するための少なくとも第２の要求を前記少なくとも第２の経路を介して送信する手段であって、前記チャンクの前記部分が相補的であり、前記チャンクの前記部分のそれぞれが、前記決定した利用可能なビット・レートから計算されるサイズを有する、前記手段と、
前記第１の経路を介して前記要求した第１の部分を受信し、前記少なくとも第２の経路を介して前記要求した少なくとも第２の部分を受信する手段と、を含む、前記クライアント装置。
【請求項１３】
前記第１および第２の経路のうちの少なくとも１つを介して、前記対応ビット・レートに関する情報を受信し、且つ各対応ビット・レート毎に、前記チャンクのサイズに関する情報を受信する手段をさらに含む、請求項１２に記載のクライアント装置。
【請求項１４】
要求ビット・レートを決定する前記手段が、前記決定した第１の利用可能なビット・レートと前記決定した第２の利用可能なビット・レートの和を評価するようになっており、前記手段が、前記決定した第１の利用可能なビット・レートと前記決定した第２の利用可能なビット・レートの前記和からプロビジョンを引いた値以下となる、対応ビット・レートの中の最大ビット・レートを選択するようになっている、請求項１２または１３に記載のクライアント装置。
【請求項１５】
前記決定した利用可能なビット・レートが第１のしきい値を超えるかどうかを判定する手段をさらに含み、要求を送信する前記手段が、前記クライアント装置が前記決定した利用可能なビット・レートが前記第１のしきい値より大きいと判定した経路についてのみ、前記チャンクの部分を受信するための要求を送信するようになっている、請求項１２から１４に記載のクライアント装置。